(57)【要約】【課題】懸吊桿の先端部を上下動可能とし、且つ、懸吊桿の高さを自在に変更することのできるハンガー装置及び同ハンガー装置を内部に備えたクローゼットを提供する。【解決手段】長手方向に複数の吊下物を吊下可能とし、壁体の前方斜め下方向又は前方斜め上方向へ伸延する収納状態と、壁体の直前方へ略水平に伸延する起立状態との間で上下方向へ揺動自在に構成した懸吊桿と、一端を前記懸吊桿に揺動自在に連結し、他端を前記壁体側で保持することにより、前記懸吊桿の起立姿勢を保持する保持部材と、前記懸吊桿を、任意の高さで起立可能とする高さ調節機構と、を備え、前記高さ調節機構は、前記懸吊桿の基端を揺動自在に枢支すると共に、上下方向に摺動可能に構成された上部摺動体と、前記保持部材の前記他端を揺動自在に枢支すると共に、前記上部摺動体の下方にて上下方向に摺動可能に構成された下部摺動体と、を有することとした。【選択図】図１
2009279397.tif 000002
【特許請求の範囲】
【請求項１】
長手方向に複数の吊下物を吊下可能とし、壁体の前方斜め下方向又は前方斜め上方向へ伸延する収納状態と、壁体の直前方へ略水平に伸延する起立状態との間で上下方向へ揺動自在に構成した懸吊桿と、
一端を前記懸吊桿に揺動自在に連結し、他端を前記壁体側で保持することにより、前記懸吊桿の起立姿勢を保持する保持部材と、
前記懸吊桿を、任意の高さで起立可能とする高さ調節機構と、を備え、
前記高さ調節機構は、前記懸吊桿の基端を揺動自在に枢支すると共に、上下方向に摺動可能に構成された上部摺動体と、
前記保持部材の前記他端を揺動自在に枢支すると共に、前記上部摺動体の上方又は下方にて上下方向に摺動可能に構成された下部摺動体と、を有するハンガー装置。
【請求項２】
前記下部摺動体は、壁体に対して任意の位置で固定可能としていることを特徴とする請求項１に記載のハンガー装置。
【請求項３】
前記上部摺動体は、壁体に対して任意の位置で固定可能としていることを特徴とする請求項１または請求項２に記載のハンガー装置。
【請求項４】
請求項１〜３いずれか１項に記載のハンガー装置を内部に備えたクローゼット。
【発明の詳細な説明】
【技術分野】
【０００１】
本発明は、ハンガー装置及び同ハンガー装置を内部に備えたクローゼットに関する。
【背景技術】
【０００２】
従来、背広やネクタイなどの衣類を収納する家具の一例として、収納庫内の左右両壁間に懸吊桿（支持バー）を架け渡したものが知られており、衣類にハンガーを装着し、このハンガーに形成されているフックを懸吊桿に掛けて衣類を吊下し収納するようにしている。
【０００３】
このような家具によれば、衣類に皺を生じさせることなく整然と吊下させて収納することができるものの、左右両壁間に架け渡した懸吊桿が固定されているため、懸吊桿と略同じ長さの左右幅を備えた収納スペースが必要となる。
【０００４】
そこで、本発明者は、衣類を吊下させることができ、しかも、奥行き寸法がより小さい収納家具を提供すべく、被収納物を出し入れする開口を設けてなり、内部に被収納物を収納する本体と、この本体の内部に収納された被収納物を支持すべく前記開口に臨ませて本体の奥行き方向へ延設してなり、前記開口に臨む先端部が上下方向へ揺動可能に配置した懸吊桿（支持部材）と、この懸吊桿の長手方向へ適宜の距離を隔てて垂下してあり、被収納物を吊下げる複数の吊下部材とを備えた収納家具において、前記懸吊桿の長さ寸法は、本体の奥行き寸法より長くしてあり、衣類を収納する際は、前記懸吊桿をその先端部が本体の底部側へ傾倒した姿勢になし、被収納物を出し入れする際は、前記懸吊桿をその先端部を引き上げた姿勢になすようにしてあることを特徴とする収納家具を提案している（例えば、特許文献１参照。）。
【０００５】
この収納家具によれば、奥行き寸法よりも長い懸吊桿を配設することができ、小さい設置面積で、より多くの衣類を収納することができる。
【先行技術文献】
【特許文献】
【０００６】
【特許文献１】特開２００６−２３０７５９号公報
【発明の概要】
【発明が解決しようとする課題】
【０００７】
しかしながら、上記従来の収納家具では、懸吊桿の先端部は上下動させることができるものの、基端部が収納家具の内壁面に固定されているため、子供や車いすの使用者が収納家具から衣類を取出すには困難であった。
【０００８】
本発明は、斯かる事情に鑑みてなされたものであって、懸吊桿の先端部を上下動可能とし、且つ、懸吊桿の高さを自在に変更することのできるハンガー装置及び同ハンガー装置を内部に備えたクローゼットを提供する。
【課題を解決するための手段】
【０００９】
上記課題を解決するための、本発明に係るハンガー装置では、長手方向に複数の吊下物を吊下可能とし、壁体の前方斜め下方向又は前方斜め上方向へ伸延する収納状態と、壁体の直前方へ略水平に伸延する起立状態との間で上下方向へ揺動自在に構成した懸吊桿と、一端を前記懸吊桿に揺動自在に連結し、他端を前記壁体側で保持することにより、前記懸吊桿の起立姿勢を保持する保持部材と、前記懸吊桿を、任意の高さで起立可能とする高さ調節機構と、を備え、前記高さ調節機構は、前記懸吊桿の基端を揺動自在に枢支すると共に、上下方向に摺動可能に構成された上部摺動体と、前記保持部材の前記他端を揺動自在に枢支すると共に、前記上部摺動体の上方又は下方にて上下方向に摺動可能に構成された下部摺動体と、を有することとした。
【００１０】
また、本発明に係るハンガー装置では、以下の点にも特徴を有する。
（１）前記下部摺動体は、壁体に対して任意の位置で固定可能としていること。
（２）前記上部摺動体は、壁体に対して任意の位置で固定可能としていること。
【００１１】
さらに、本発明に係るクローゼットでは、請求項１〜３いずれか１項に記載のハンガー装置を内部に備えることとした。
【発明の効果】
【００１２】
請求項１に記載のハンガー装置では、長手方向に複数の吊下物を吊下可能とし、壁体の前方斜め下方向又は前方斜め上方向へ伸延する収納状態と、壁体の直前方へ略水平に伸延する起立状態との間で上下方向へ揺動自在に構成した懸吊桿と、一端を前記懸吊桿に揺動自在に連結し、他端を前記壁体側で保持することにより、前記懸吊桿の起立姿勢を保持する保持部材と、前記懸吊桿を、任意の高さで起立可能とする高さ調節機構と、を備え、前記高さ調節機構は、前記懸吊桿の基端を揺動自在に枢支すると共に、上下方向に摺動可能に構成された上部摺動体と、前記保持部材の前記他端を揺動自在に枢支すると共に、前記上部摺動体の上方又は下方にて上下方向に摺動可能に構成された下部摺動体と、を有することとしたため、懸吊桿の先端部を上下動可能とし、且つ、懸吊桿の高さを自在に変更することができる。
【００１３】
また、請求項２に記載のハンガー装置では、前記下部摺動体は、壁体に対して任意の位置で固定可能としているため、所望の高さで下方への移動を規制することができる。
【００１４】
また、請求項３に記載のハンガー装置では、前記上部摺動体は、壁体に対して任意の位置で固定可能としているため、所望の高さで上方への移動を規制することができる。
【００１５】
また、請求項４に記載のクローゼットでは、請求項１〜３いずれか１項に記載のハンガー装置を内部に備えることとしたため、懸吊桿の先端部を上下動可能とし、且つ、懸吊桿の高さを自在に変更することができ、子供や車いすの使用者であっても、容易に衣類を収納したり取出すことができる。例えば、懸吊桿の高さ調節を行う下部摺動体等の駆動機構を壁体の上方位置に配設するため、初めて使用する子供が操作しても安全に使用することができる。
【図面の簡単な説明】
【００１６】
【図１】本発明に係る第１実施形態のハンガー装置を備えたクローゼットの全体構成を示す斜視図である。
【図２】第１摺動体及び懸吊桿の構成を示す説明図である。
【図３】懸吊桿の動作を示す説明図である。
【図４】本発明に係る第１実施形態のハンガー装置を備えたクローゼットの全体構成を示す斜視図である。
【図５】本発明に係る第２実施形態のハンガー装置を備えたクローゼットの全体構成を示す斜視図である。
【図６】他の実施形態に係るクローゼットにおけるハンガー装置の動作を示す説明図である。
【図７】他の実施形態に係るクローゼットの収納庫本体の構成を示した説明図である。
【図８】第３実施形態のハンガー装置を示した斜視図である。
【図９】他の実施形態に係る懸吊桿を示した説明図である。
【図１０】他の実施形態に係る第１摺動体及び懸吊桿を示した説明図である。
【図１１】他の実施形態に係る第１摺動体及び懸吊桿を示した説明図である。
【図１２】本発明に係る第４実施形態のハンガー装置を備えたクローゼットの全体構成を示す斜視図である。
【図１３】第４実施形態のハンガー装置の懸吊桿の動作を示す説明図である。
【図１４】第１摺動体及び懸吊桿の要部を示す説明図である。
【図１５】第１摺動レールの固定孔の他の例を示す説明図である。
【図１６】本発明に係る第５実施形態のハンガー装置を備えたクローゼットの全体構成を示す斜視図である。
【図１７】第５実施形態のハンガー装置の懸吊桿の動作を示す説明図である。
【図１８】第２摺動部の高さ調節を行うストッパーを示す側面図である。
【図１９】ロック機構の他の例を示す説明図である。
【図２０】ロック機構のさらに他の例を示す説明図である。
【図２１】本実施形態のハンガー装置を示す説明図である。
【発明を実施するための形態】
【００１７】
本発明は、長手方向に複数の吊下物を吊下可能とし、壁体の前方斜め下方向又は前方斜め上方向へ伸延する収納状態と、壁体の直前方へ略水平に伸延する起立状態との間で上下方向へ揺動自在に構成した懸吊桿と、一端を前記懸吊桿に揺動自在に連結し、他端を前記壁体側で保持することにより、前記懸吊桿の起立姿勢を保持する保持部材と、前記懸吊桿を、任意の高さで起立可能とする高さ調節機構と、を備え、前記高さ調節機構は、前記懸吊桿の基端を揺動自在に枢支すると共に、上下方向に摺動可能に構成された上部摺動体と、前記保持部材の前記他端を揺動自在に枢支すると共に、前記上部摺動体の上方又は下方にて上下方向に摺動可能に構成された下部摺動体と、を有するハンガー装置を提供するものである。
【００１８】
このようなハンガー装置によれば、例えば、使用者が身長の低い子供であったり、車いすに座した人であっても、懸吊桿に吊下した吊下物を容易に取り出すことができる。
【００１９】
また、このようなハンガー装置を備えたクローゼットを形成すれば、吊下物の収納や取出しを、使用者が使用しやすい高さで行うことができるため、利便性を飛躍的に向上することができるのである。
【００２０】
ここで、ハンガー装置は、箱状に形成した収納庫内に配設してクローゼットを形成して使用するようにしても良く、また、単に壁にハンガー装置を配設して使用するようにしても良い。
【００２１】
また、部屋内の壁に衣類が収納できる程度の凹部を形成し、同凹部の壁面に本発明に係るハンガー装置を配設して、部屋に備え付けのクローゼットとして機能させるようにしても良い。
【００２２】
また、本発明に係るハンガー装置は、前記下部摺動体は、壁体に対して任意の位置で固定可能とするのが好ましい。
【００２３】
下部摺動体を任意の位置で固定することにより、使用者は懸吊桿を容易に支えることができ、所望する高さでの吊下物の取出し等を簡便にすることができる。
【００２４】
また、前記上部摺動体についても、壁体に対して任意の位置で固定可能としても良い。上部摺動体を固定可能とすることによっても、使用者は懸吊桿を容易に支えることができ、所望する高さでの吊下物の取出し等を簡便にすることができる。
【００２５】
特に、下部摺動体及び上部摺動体をそれぞれ任意の位置で固定可能としても良い。これにより、使用者が所望する高さでの吊下物の取出し等をさらに簡便にすることができる。
【００２６】
この際、下部摺動体及び上部摺動体を任意の位置で固定する固定手段は、特に限定されるものではなく、例えば、既に公知のロック機構やラチェット機構を適用することができる。
【００２７】
また、下部摺動体の上方への摺動と、上部摺動体の下方への摺動とは、上部摺動体及び下部摺動体が当接して所定の間隔を保つように規制されるものとし、この下部摺動体と上部摺動体とが当接した際には、懸吊桿が壁体の直前方へ略水平に伸延する起立状態となるように構成しても良い。
【００２８】
これにより、使用者は、懸吊桿に吊下した吊下物を所望の高さで容易に取出すことができる。
【００２９】
以下、本実施形態に係るハンガー装置及び同ハンガー装置を内部に備えたクローゼットについて、図面を用いながら更に詳細に説明する。本実施形態においては、上部摺動体を第１摺動体とし、下部摺動体を第２摺動体として説明する。
【００３０】
[実施例１]
図１は、本実施形態に係るハンガー装置Ｂを内部に備えたクローゼットＡを示した斜視図である。図１に示すように、クローゼットＡは、収納庫本体10の収納空間Ｖにハンガー装置Ｂを収容して構成している。
【００３１】
収納庫本体10は、平面視略矩形状の底板11と、同底板11の左右両側面に立設した左側板12及び右側板13と、ハンガー装置Ｂを配設するための壁体として機能する背板14と、天板15とで矩形箱状に形成しており、左右両側板12,13の開口部近傍にはそれぞれ戸板16,16を上下方向へ軸線を向けて枢支して観音開きできるように構成している。
【００３２】
ハンガー装置Ｂは、背板14の略中央部上方で上下方向に摺動するよう構成した第１摺動部20と、左右両側板12,13で上下方向に摺動するように構成した２つの第２摺動部21と、前記第１摺動部20に枢支部22を介して回動自在に固定した懸吊部23とで構成している。
【００３３】
第１摺動部20は、背板14の略中央部上方に上下方向へ向けて配設した断面視略コ字状の第１摺動レール24と、同第１摺動レール24に沿って上下方向に移動する第１摺動体25と、同第１摺動体25の上下方向の動きを緩慢にするためのダンパー57とを有している。
【００３４】
第１摺動レール24には、図２にも示すように、第１摺動体25と対向する面に、同第１摺動体25の移動を規制するための固定孔26を所定間隔を空けて複数穿設している。
【００３５】
また、第１摺動体25には、固定孔26と係合するロック爪50を備えたロック部51（保持部材の一例）を配設しており、第１摺動体25を第１摺動レール24上で摺動させて、第１摺動レール24に穿設した固定孔26に、ロック部51を操作してロック爪50を挿入することにより第１摺動体25を第１摺動レール24に対して固定するようにしている。すなわち、第１摺動体25は、第１摺動レール24上において、所望の高さに位置決め可能に構成している。
【００３６】
このロック部51の操作は、懸吊部23のハンドル42と重合するように形成したワイヤハンドル52を把持することにより、摺動ワイヤ53を進退させて行うこととしており、手元操作できるように構成している。
【００３７】
また、図１に示すように、第１摺動体25には、左右方向に伸延する当接片支え部材54を有しており、この当接片支え部材54は、左右両側板12,13に上下方向に伸延させて配設した上部側面レール55,55に摺動自在に係合させると共に、その先端部に上部当接片56,56が垂設されている。なお、本実施形態では、左右両側に上部当接片56,56を形成しているが、左右いずれか一方にのみ当接片支え部材54を伸延させて、その先端に上部当接片56を垂設するようにしても良い。
【００３８】
一方、第２摺動部21は、背板14の左右両側にそれぞれ１つずつ配設している。第２摺動部21は、左右いずれもほぼ同様の構成としているため、ここでは左側板12近傍に配設した第２摺動部21を例に説明する。
【００３９】
第２摺動部21は、背板14に上下方向へ向けて配設した断面視略コ字状の第２摺動レール28と、同第２摺動レール28に沿って上下方向に移動する第２摺動体29とを有している。
【００４０】
第２摺動体29には、枢支部32を介して支え桿33を揺動自在に配設している。この支え桿33の先端部は、懸吊部23に揺動自在に連結している。
【００４１】
また、第２摺動体29には、下部当接片58が前述した上部当接片56と当接可能に立設されており、懸吊部23を引き出した状態（懸吊部23を平行とした状態）において、下部当接片58と上部当接片56とが当接し連結されるように構成している。
【００４２】
すなわち、図１に示すハンガー装置Ｂを側面から見た場合、懸吊部23を長辺、支え桿33を斜辺として、下部当接片58及び上部当接片56が連結した状態で直角三角形を構成するようにしている。
【００４３】
これにより、オーバーやコートなど比較的重量のある衣類をハンガー装置Ｂに吊下した場合であっても、十分な強度を保つことができる。
【００４４】
また、第２摺動体29には、下部当接片58と上部当接片56とが当接し連結した際に稼働するロック機構（図示せず）を備えており、第２摺動レール28に対して摺動が規制されるようにしている。また、連結が解除された場合には、再び摺動可能となるように構成している。なお、このロック機構は特に限定されるものではなく、例えば、市販のキャッチロック機構やラチェット機構を使用することができる。
【００４５】
なお、第２摺動体29には、その下方にダンパー59が連結されており、第２摺動体29の上下方向の動きを緩慢とするようにしている。
【００４６】
懸吊部23は、吊下した衣類を保持するための懸吊桿40を備えており、その側面には、多数の吊下穴41を配設して複数の衣類を吊下可能に形成している。
【００４７】
また、懸吊桿40の基端部は、前述の第１摺動体25に枢支部22を介して揺動自在に連結されており、図３にも示すように、使用者は、懸吊桿40の先端部に配設したハンドル42を把持して上下方向に動かすことで、図３（ａ）に示す懸吊桿40が背板14の直前方へ略水平に伸延した起立状態と、図３（ｂ）に示す背板14の前方斜め下方向へ伸延する収納状態との間で上下方向へ揺動自在となるように構成している。
【００４８】
併せて、懸吊桿40の中途部には、左右方向に伸延する竿状の支持部材43を配設しており、同支持部材43の端部には前述の支え桿33を揺動自在に連結している。
【００４９】
そして、このような構成を有するクローゼットＡによれば、次のように動作して機能することとなる。なお、以下において、説明の便宜上、衣類を収納する手順について述べ、次いで、衣類を取出す手順について述べることとする。
【００５０】
まず、衣類を収納する際には、図１に示すように懸吊部23が起立状態において、使用者は、いわゆるハンガー等を装着した衣類を吊下穴41に引っかけて、懸吊桿40に吊下する。
【００５１】
次いで、使用者は、ハンドル42及びワイヤハンドル52を挟持すると共に、第１摺動体25を固定するロック部51を操作して、第１摺動体25及び第２摺動体29,29を摺動自在の状態とする。
【００５２】
そして、使用者は、ハンドル42を収納空間Ｖのやや斜め下方向に押下しながら、第１摺動体25を上方へ摺動させ、第２摺動体29,29を下方へ摺動させることにより、図４に示すように、懸吊桿40を収納状態へ移動させる。
【００５３】
懸吊桿40が収納状態となった時点で、使用者は、ワイヤハンドル52によりロック部51を操作して第１摺動体25を第１摺動レール24に対して固定する。
【００５４】
このような状態で戸板16,16を閉めることにより収納が完了する。
【００５５】
次に、収納した衣類を取出す場合について述べる。まず、クローゼットＡの戸板16,16を開放し、図４に示す状態でハンドル42及びワイヤハンドル52を把持する。
【００５６】
次いで、第１摺動レール24の固定孔26からロック爪50を抜き、ハンドル42を引いて第１摺動体25を所望の高さに調整しながら、上部当接片56と下部当接片58とを当接し連結させて第２摺動体29,29を第２摺動レール28,28に対して固定する。
【００５７】
ワイヤハンドル52によりロック部51を操作して、第１摺動部20の固定孔26にロック爪50を挿入し、第１摺動体25に固定する。
【００５８】
そして、使用者は、略水平となった懸吊桿40に吊下された衣類を所望の高さにて取出すことができることとなる。
【００５９】
上述してきたように、本実施形態に係るクローゼットＡによれば、懸吊桿40を所望の高さで起立状態と成すことができるため、使用者が成人や健常者であれば容易に使用できるのは勿論のこと、子供や車いすを使用している人であっても、衣類などの吊下物を容易に出し入れすることができる。
【００６０】
［実施例２］
次に、本発明に係る第２の実施形態について、図面を用いながら説明する。なお、以下の説明において、前述の実施形態と同じ部材については、同様の符号を付している。また、同様の構成については、説明を省略することがある。
【００６１】
図５に示すクローゼットＡは、内部にハンガー装置Ｃを備えており、衣類を吊下可能に形成している。
【００６２】
このハンガー装置Ｃは、前述のハンガー装置Ｂと基本的な構造を同じくしているが、前述した第２摺動体29,29に配設した支え桿33に替えて、位置決めプレート60,60を備えている点で構造を異にする。
【００６３】
具体的に説明すると、ハンガー装置Ｃは、背板14の略中央部上方で上下方向に摺動するよう構成した第１摺動部20と、左右両側板12,13で上下方向に摺動するように構成した２つの第２摺動部21と、前記第１摺動部20に枢支部22を介して回動自在に固定した懸吊部23とで構成している。
【００６４】
そして、特徴的には、第２摺動部21の第２摺動体29には、枢支部32を介して位置決めプレート60を揺動自在に配設しており、この位置決めプレート60の長手方向に沿って形成した長孔61には、懸吊桿40の中途部に回動自在に配設した支持部材43の両先端部に形成した係止突片62を摺動自在に挿入している。
【００６５】
また、位置決めプレート60には、図６に示すように、長孔61と連続した状態で、同長孔61の中途部に中間係止溝63を形成し、位置決めプレート60の先端部には端部係止溝64を形成して、前述の係止突片62を係止可能に構成している。
【００６６】
そして、このようなハンガー装置Ｃを有するクローゼットＡによれば、次のように動作して機能することとなる。
【００６７】
図６（ａ）に示すように、収納した衣類を取出す際には、クローゼットＡの戸板16,16を開放し、懸吊桿40のハンドル42を把持する。
【００６８】
次いで、懸吊桿40を徐々に起立状態とするに従って、支持部材43の係止突片62は、長孔61を基端部から先端方向に向かって摺動し、図６（ｂ）に示すように、中途位置で中間係止溝63に係合する。
【００６９】
この状態で、ワイヤハンドル52を把持してロック部51（保持部材の一例）を操作し、第１摺動体25を第１摺動レール24上で摺動させて所望する高さ付近に調整する。
【００７０】
そして、図６（ｃ）に示すように、さらに懸吊桿40を起立方向へ回動し、係止突片62を長孔61の端部係止溝64に係合させることにより、懸吊桿40を底板11と略平行な起立状態とする。この際、係止突片62を端部係止溝64に係止させたまま、懸吊桿40を上下方向に動かして、使用者が所望する高さに微調整するようにしても良い。
【００７１】
そして、ワイヤハンドル52を操作して、第１摺動レール24の固定孔26にロック爪50を挿入することにより、第１摺動体25を第１摺動レール24に対して固定する。
【００７２】
この際、第２摺動体29,29もまた、第２摺動レール28,28に対して固定される構成としており、懸吊桿40は、位置決めプレート60,60に支えられて起立状態を維持することとなる。
【００７３】
そして、使用者は、略水平となった懸吊桿40に吊下された衣類を所望の高さにて取出すことができることとなる。
【００７４】
また、衣類を収納する際には、まず、位置決めプレート60,60の先端に設けられた引き紐65を下方に向けて引くことにより、端部係止溝64から係止突片62を離脱させて、係止突片62を長孔61中で摺動自在な状態とする。
【００７５】
次いで、使用者は、ハンドル42及びワイヤハンドル52を挟持すると共に、第１摺動体25を固定するロック部51を操作して、第１摺動体25及び第２摺動体29,29を摺動自在の状態とする。
【００７６】
そして、使用者は、ハンドル42を収納空間Ｖのやや斜め下方向に押下しながら、第１摺動体25を上方へ摺動させ、かつ、係止突片62を中間係止溝63に係合させる。
【００７７】
この状態で、さらに懸吊桿40を収納方向へ回動させることにより、中間係止溝63を支点として第２摺動体29,29を下方に摺動させる。
【００７８】
そして、中間係止溝63から係止突片62を離脱させて、同係止突片62をさらに基端部方向へ移動させることにより、懸吊桿40を収納状態とし、ワイヤハンドル52を操作して第１摺動レール24の固定孔26にロック爪50を挿入することにより、第１摺動体25を第１摺動レール24に対して固定する。
【００７９】
このような状態で戸板16,16を閉めることにより収納が完了する。
【００８０】
次に、本発明に係るハンガー装置を適用したクローゼットの収納庫本体の他の実施形態について述べる。
【００８１】
図７は、他の実施形態に係るクローゼットＤを天板15側から見た平面図を示しており、内部に収納状態のハンガー装置Ｂを備えた構成としているが、収納庫本体70の構造において前述の実施形態と構造を異にしている。
【００８２】
具体的には、内部にハンガー装置Ｂを備える前方を開放した直方体状の外部筐体71と、同外部筐体71内に入れ子状に挿入され、後方を開放した直方体状で戸板16,16を備える内部筐体72とにより構成している。
【００８３】
そして、ハンガー装置Ｂに吊下する衣類が少ない場合や厚手の衣類が少ない場合などは、図７（ａ）に示すように、内部筐体72を外部筐体71内部に収納した状態で使用可能としている。
【００８４】
ところが、前述したハンガー装置Ｂやハンガー装置Ｃによれば、多くの衣類が吊下された場合や、厚手の衣類が多い場合は、懸吊桿40を収納状態とした際に、懸吊桿40の下方への傾きが小さくなる場合が考えられる。
【００８５】
そこで、このような場合には、図７（ｂ）に示すように、外部筐体71から内部筐体72を引き出して、クローゼットＤの奥行きを延長することで、クローゼットＤ内に衣類を無理なく収納させることができるのである。
【００８６】
［実施例３］
次に、ハンガー装置の更なる第３実施形態について述べる。すなわち、前述した実施形態では、第１摺動体25や第２摺動体29,29の上下方向への移動は、使用者が懸吊桿40の傾きを変更することで行うこととしたが、ここで述べるハンガー装置Ｅの如く、モータ等を用いて第１摺動体25及び第２摺動体29,29を移動させるように構成しても良い。
【００８７】
具体的には、図８に示すハンガー装置Ｅの如く、第１摺動体25を螺合部84を介して螺合して上下方向に摺動可能とした上部摺動ロッド80と、第２摺動体29,29を螺合部85,85螺合して上下方向に摺動可能とした下部摺動ロッド81,81とを設け、上部摺動ロッド80及び下部摺動ロッド81,81にはそれぞれ上部摺動モータ82及び下部摺動モータ83を配設して長手方向軸周りに回動可能に構成し、第１摺動体25及び第２摺動体29,29の上下方向の位置を近接または離隔させることにより、懸吊桿40を収納位置と起立位置との間で変更可能とすることができる。
【００８８】
このハンガー装置Ｅによれば、電動で懸吊桿の先端部を上下動可能とし、且つ、懸吊桿の高さを自在に変更することができるため、使用者が身長の低い子供であったり、車いすに座した人であっても、例えば懸吊桿40に吊下された重量物を容易に取出すことができることとなる。
【００８９】
また、本実施形態では、懸吊桿40は長手方向に伸縮できない構造としているが、例えば、図９に示すように、懸吊桿40を伸縮可能に構成しても良い。なお、図９において図９（ａ）は、懸吊桿40の幅方向の断面図、図９（ｂ）は懸吊桿40を縮めた状態における長手方向の断面図、図９（ｃ）は懸吊桿40を延ばした状態における長手方向の断面図である。
【００９０】
すなわち、図９（ａ）及び図９（ｂ）に示すように、懸吊桿40は、いわゆるカーテンレール状の構造を有しており、幅方向における断面視が略矩形状で、その下面に長手方向へ向けてスリット96を形成した中空長棹状の外桿90と、同外桿90に入れ子状に挿入され、断面視が略矩形状であり、下面に長手方向へ向けてスリット96を形成した中空長棹状の内桿91とを備えており、内桿91が外桿90に対してスライドして懸吊桿40を伸縮可能としている。
【００９１】
また、懸吊桿40（外桿90及び内桿91）の中空内部には、複数（本実施形態では12個）のランナー92,92…を移動可能に収容している。
【００９２】
このランナー92は、吊下フック95を挿通した車軸94の両端に車輪93,93を備え、外桿90や内桿91の内部で円滑に移動可能としており、各ランナー92,92…は、それぞれワイヤー97で一直線上に連結され、懸吊桿40の伸縮動作に応じて移動して、各ランナー92,92…が略等間隔に配列されるように構成している。
【００９３】
また、吊下フック95は、外桿90及び内桿91に形成したスリット96,96から下方へ露出するよう構成しており、この露出部分には、吊下穴41を穿設して衣類ハンガーなどにより衣類を吊下可能に形成している。
【００９４】
そして、このように構成した懸吊桿40は、図９（ｂ）の状態において、ハンドル42を把持し、図９（ｃ）の如く内桿91を外桿90から引き出すことにより、懸吊桿40が伸延すると共に、ランナー92,92…を略等間隔に配列させて、吊下穴41に吊下した衣類等をより探しやすくすることができる。
【００９５】
しかも、前述のハンガー装置Ｅにこの伸縮自在の懸吊桿40を適用することにより、吊下した衣類等の量や厚みに応じて、懸吊桿40の長さや収納庫本体70の奥行きを調整することができ、より使い勝手のよいクローゼットとすることができる。
【００９６】
次に、第１摺動体100の他の実施形態について図１０を用いて説明する。図１０（ａ）は、第１摺動体100及び懸吊桿40の側面視断面図、図１０（ｂ）は第１摺動体100及び懸吊桿40の平面視における断面図である。なお、図１０ではハンガー装置の全体構成については省略しており、第１摺動体25近傍を拡大して示している。
【００９７】
図１０（ａ）及び図１０（ｂ）に示すように、本実施形態に係る第１摺動体100では、図２に示した第１摺動体25とほぼ同様の構成としているが、第１摺動体100の上方への動きを補助する付勢機構108を備えている点で構造を異にしている。
【００９８】
具体的には、第１摺動体100は、第１摺動レール24上で上下摺動可能に構成しており、第１摺動体100の左右両側部に形成した嵌合溝105,105を、図１０（ｂ）に示す断面視略Ｃ字状の第１摺動レール24の端部折曲片106,106に嵌合させて、第１摺動体100が第１摺動レール24から不用意に外れないようにしている。
【００９９】
また、第１摺動体100には付勢機構108が配設されており、この付勢機構108には、同第１摺動体100の幅方向に軸線を向けたピニオン軸102が挿通され、このピニオン軸102の端部にはピニオン101が配設されている。
【０１００】
一方、第１摺動レール24の端部折曲片106には、ピニオン101と対向する位置に、ラック103を形成しており、第１摺動体100の上下動に伴って、ラックアンドピニオンの機構によりピニオン101が回動するように構成している。
【０１０１】
そして特徴的には、ピニオン軸102にゼンマイバネ104を配設しており、第１摺動体100を下方へ摺動させると、前述のラックアンドピニオンの機構により、ゼンマイバネ104に弾性エネルギーが蓄積され、第１摺動体100を上方へ付勢することができるようにしている。
【０１０２】
このような構成とすることにより、重力に従う第１摺動体100の下方への動きの際には、付勢機構108のゼンマイバネ104に弾性エネルギーが蓄積されることで、下降速度を抑制することができ、しかも、第１摺動体100を上方へ動かす際には、弾性エネルギーが蓄積されたゼンマイバネ104によって上方への動きが付勢されることとなり、使用者の上下動の負担を飛躍的に軽減させることができる。
【０１０３】
また、図１０（ｃ）には、第１摺動体100の更なる他の実施形態を示しており、この第１摺動体100には、ピニオン軸102に２つのゼンマイバネ104ａ,104ｂが備えられている。
【０１０４】
特に、この２つのゼンマイバネ104ａ,104ｂは、上下それぞれ逆方向へ向けて第１摺動体100を付勢するように配設されている。
【０１０５】
具体的には、ゼンマイバネ104ａは、図１０（ｂ）に示した第１摺動体100を上方に付勢するものとし、ゼンマイバネ104ｂは、第１摺動体100を下方に付勢するものとしている。
【０１０６】
しかも、ゼンマイバネ104ａとゼンマイバネ104ｂとの弾性力の比は、6.5：3.5〜7.5：2.5の範囲内となるように構成している。すなわち、第１摺動体100を上方に付勢するゼンマイバネ104ａの弾性力に対し、第１摺動体100を下方に付勢するゼンマイバネ104ｂの弾性力が略３分の１〜２分の１となるようにしている。
【０１０７】
このような構成とすることにより、図１０（ｂ）に示した前述の第１摺動体100と同様、重力に従う第１摺動体100の下方への動きの際には、付勢機構108のゼンマイバネ104ａに弾性エネルギーが蓄積されることで、下降速度を抑制することができ、また、第１摺動体100を上方へ動かす際には、弾性エネルギーが蓄積されたゼンマイバネ104ａによって上方への動きが付勢されることとなり、使用者の上下動の負担を飛躍的に軽減させることができる。
【０１０８】
また、図１０（ｃ）の構成に特徴的には、第１摺動体100を下方に付勢するゼンマイバネ104ｂを配設しているため、第１摺動体100を上方へ摺動するに際し、適度な負荷を与えることができ、ゼンマイバネ104ａの弾性力に従って第１摺動体100が急激に上昇してしまうことを防止することができる。
【０１０９】
また、第１摺動体や懸吊桿40は、図１１に示すように構成しても良い。なお、図１１は、第１摺動体110及び懸吊桿40の平面視における一部断面を示した説明図である。
【０１１０】
すなわち、図１１における第１摺動体100及び懸吊桿40では、使用者が昇降ハンドル109を回動することにより、第１摺動体110を上下動可能としている点に特徴を有している。
【０１１１】
具体的には、第１摺動体100及び懸吊桿40には、上下昇降機構111が配設されており、この上下昇降機構111は、使用者が把持して回動させる昇降ハンドル109と、この昇降ハンドル109の動きを第１摺動体110へ伝達するための伝動ロッド107と、同伝動ロッド107の先端部に配設した笠歯車機構112を介して駆動するピニオン軸102とを備えており、このピニオン軸102の端部には、ピニオン101が配設されている。
【０１１２】
また、第１摺動レール24には、ピニオン101と対向する面にラック103が形成されており、ピニオン101が回動することでラック103に沿って第１摺動体110が上下動するようにしている。
【０１１３】
このような構成とすることにより、別途制動機構等を設けることなく、第１摺動体110を使用者が所望する速さで上下動させることができる。
【０１１４】
しかも、図１１に示した機構によれば、ロック部51などの係止機構を設けずとも、付勢機構108を固定することにより、第１摺動体110の上下動が固定されることとなるため、構成をよりシンプルなものとすることができる。
【０１１５】
なお、図１０及び図１１を用いて説明してきた構成においても、ピニオン軸102を中心として懸吊桿40が上下方向に揺動可能としている。また、別途第２摺動体29,29や支持部材43や支え桿33は配設されており、懸吊桿40の揺動は規制されることとなっている。
【０１１６】
上述してきたように、本発明に係るハンガー装置によれば、長手方向に複数の吊下物を吊下可能とし、壁体の前方斜め下方向へ伸延する収納状態と、壁体の直前方へ略水平に伸延する起立状態との間で上下方向へ揺動自在に構成した懸吊桿と、一端を前記懸吊桿に揺動自在に連結し、他端を前記壁体側で保持することにより、前記懸吊桿の起立姿勢を保持する保持部材と、前記懸吊桿を、任意の高さで起立可能とする高さ調節機構と、を備え、前記高さ調節機構は、前記懸吊桿の基端を揺動自在に枢支すると共に、上下方向に摺動可能に構成された第１摺動体と、前記保持部材の前記他端を揺動自在に枢支すると共に、前記第１摺動体の下方にて上下方向に摺動可能に構成された第２摺動体と、を有することとしたため、懸吊桿の先端部を上下動可能とし、且つ、懸吊桿の高さを自在に変更することができ、使用者が身長の低い子供であったり、車いすに座した人であっても、懸吊桿に吊下した吊下物を容易に取り出すことができ、しかも、このようなハンガー装置を備えたクローゼットを形成すれば、吊下物の収納や取出しを、使用者が使用しやすい高さで行うことができるため、利便性を飛躍的に向上することができる。
【０１１７】
［実施例４］
本発明の第４の実施形態のハンガー装置を備えたクローゼットについて述べる。図１２は、第４実施形態に係るクローゼットの全体構成を示す斜視図である。なお、以下の説明において、前述の実施形態と同じ部材については、同様の符号を付している。また、同様の構成については、説明を省略することがある。
【０１１８】
図１２に示すクローゼットＡは、内部にハンガー装置Ｇを備えており、衣類を吊下可能に形成している。
【０１１９】
収納庫本体10は、平面視略矩形状の底板11と、同底板11の左右両側面に立設した左側板12及び右側板13と、ハンガー装置Ｇを配設するための壁体として機能する背板14と、天板15とで矩形箱状に形成しており、左右両側板12,13の開口部近傍にはそれぞれ戸板16,16を上下方向へ軸線を向けて枢支して観音開きできるように構成している。
【０１２０】
ハンガー装置Ｇは、背板14の略中央部上方で上下方向に摺動するよう構成した第１摺動部220と、左右両側板12,13で上下方向に摺動するように構成した２つの第２摺動部221と、前記第１摺動部220に枢支部222を介して回動自在に固定した懸吊部223とから構成している。
【０１２１】
第１摺動部220は、背板14の略中央部上方に上下方向へ向けて配設した第１摺動レール224と、同第１摺動レール224に沿って上下方向に移動する第１摺動体225とを有している。
【０１２２】
第１摺動レール224には、第１摺動体225と対向する面に、同第１摺動体225の移動を規制するための固定孔226を所定間隔を開けて複数穿設している。この固定孔226は、上下方向をそれぞれテーパー状に形成したテーパー部226a,226aと、このテーパー部226aに連設したさらに深い凹部226ｂから形成されている。
【０１２３】
また、第１摺動体225には、固定孔226と係合するロック爪250を備えたロック部251（保持部材の一例）を配設しており、第１摺動体225を第１摺動レール224上で摺動させて、第１摺動レール224に穿設した固定孔226に、ロック部251を操作してロック爪250を付勢バネで圧入することにより第１摺動体225を第１摺動レール224に対して固定するようにしている。すなわち、第１摺動体225は、第１摺動レール224上において、所望の高さに位置決め可能に構成している。
【０１２４】
このロック部251の操作は、懸吊部223のハンドル242と重合するように形成したワイヤハンドル252を把持することにより、摺動ワイヤ253を進退させて行うこととしており、手元操作できるように構成している。
【０１２５】
また、図１２に示すように、第１摺動体225には、左右方向に伸延する当接片支え部材254を有しており、この当接片支え部材254の筒形状の両端部は、左右両側板12,13に上下方向に伸延させて配設した棒状の上部側面ロッド255,255に第２摺動部221を摺動自在に挿通している。
【０１２６】
一方、第２摺動部221は、上方の前部の左右側板12,13にそれぞれ配設している。第２摺動部221は、左右いずれもほぼ同様の構成としているため、ここでは左側板12近傍に配設した第２摺動部221を例に説明する。
【０１２７】
第２摺動部221は、背板14に上下方向へ向けて配設した棒状の第２摺動レール228と、同第２摺動レール228に沿って上下方向に移動する第２摺動体229とを有している。
【０１２８】
第２摺動体229には、枢支部232を介して支え桿233を揺動自在に配設している。この支え桿233の先端部は、懸吊部223に揺動自在に連結している。
【０１２９】
これにより、オーバーやコートなど比較的重量のある衣類をハンガー装置Ｇに吊下した場合であっても、十分な強度を保つことができる。
【０１３０】
懸吊部223は、吊下した衣類を保持するための懸吊桿240を備えており、その側面には、多数の吊下穴241を配設して複数の衣類を吊下可能に形成している。
【０１３１】
また、懸吊桿240の基端部は、前述の第１摺動体225に枢支部222を介して揺動自在に連結されており、使用者は、懸吊桿240の先端部に配設したハンドル242を把持して上下方向に動かすことで、懸吊桿240が背板14の直前方へ略水平に伸延した起立状態と、背板14の前方斜め下方向へ伸延する収納状態との間で上下方向へ揺動自在となるように構成している。
【０１３２】
併せて、懸吊桿240の中途部には、左右方向に伸延する竿状の支持部材243を配設しており、同支持部材243の両端部には前述の支え桿233,233を揺動自在に連設している。
【０１３３】
［ハンガー装置の使用状態］
【０１３４】
上述したハンガー装置Ｇを備えたクローゼットＡは、次のように動作して機能することとなる。図１３はクローゼットにおけるハンガー装置の動作を示す説明図である。
【０１３５】
まず、衣類を収納する際には、懸吊部223が起立状態において、使用者は、いわゆるハンガー等を装着した衣類を吊下穴241に引っかけて、懸吊桿240に吊下する。
【０１３６】
クローゼットＡに収納した衣類を取出す際には、クローゼットＡの戸板16,16を観音開きに開放する（図１２参照）。このとき懸吊桿240は、図１３（ａ）に示すように、枢支部222を中心に壁体としての背板14の前方斜め下方に折れ曲がった状態でクローゼットＡ内部の収納空間Ｖに収納されている。すなわち、第１摺動部220は、第１摺動レール224の上端に位置しており、また、第１摺動部220の第１摺動体225の両端部も上部側面レール255,255の上端に位置した状態となっている。
【０１３７】
図１３（ｂ）に示すように、懸吊桿240のハンドル242を把持し、ワイヤハンドル252を把持してロック部251を操作し、第１摺動レール224の固定孔226に係合したロック爪250を解除してフリー状態とする（図１４（ｂ）参照）。そして、第１摺動部220を第１摺動レール224に沿って上方から下方へ降下する。すなわち、懸吊桿240を後方位置（下方位置）から前方位置（上方位置）へ揺動させることにより、懸吊桿240は、下方斜めに折れ曲がった状態から枢支部222を中心に徐々に水平方向へ起立した状態となるに揺動させる。次に、ワイヤハンドル252を放すことで、第１摺動レール224の固定孔226にロック爪250を係合してロック状態とする（図１４（ａ）参照）。
【０１３８】
図１３（ｃ）に示すように、クローゼットＡ内の懸吊桿240の高さを調節する際には、懸吊桿240を起立した状態で、ワイヤハンドル252を把持して第１摺動体225を固定するロック部251を操作し、第１摺動レール224の固定孔226に係合したロック爪250を解除してフリー状態とする。さらに、懸吊桿240を上方位置から下方位置へ引き下げと、第１摺動部220が第１摺動レール224に沿って降下すると共に第２摺動部221,221も第２摺動レール228,228を摺動しながら降下することにより懸吊桿240が上方から降下して所定高さ位置へ移動することとなる。この懸吊桿240の降下の際に、第２摺動部221,221の分割環状体（図示せず）が第２摺動レール228,228を把持しながらブレーキを掛けて摺動することとなる。この分割環状体は、ワイヤハンドル252から第２摺動ワイヤ（図示せず）を介して接続されており、ワイヤハンドル252を操作することで分割環状体が第２摺動レール228,228を挟持してブレーキを掛けるように作動する。
【０１３９】
次に、懸吊桿240が所定高さ位置となった段階で、ワイヤハンドル252を把持した状態から放した状態とすることで、ロック部251のロック爪250が第１摺動レール224の固定孔226に再係合する。このようにして懸吊桿240は、所定高さ位置で固定される。
【０１４０】
使用者は、略水平となった懸吊桿240に吊下された衣類を所望の高さにて取出すことができることとなる。
【０１４１】
そして、懸吊桿240を収納状態とする際には、上述した方法と逆の操作を行う。すなわち、懸吊桿240のハンドル242を把持し、ワイヤハンドル252を把持してロック部251を操作し、第１摺動レール224の固定孔226に係合したロック爪250を解除してフリー状態とし、懸吊桿240を上方位置から下方位置へ揺動させる。枢支部222を中心に懸吊桿240が下方斜めに折れ曲がった収納状態となる。
【０１４２】
このような懸吊桿240を折り曲げた状態とすることでクローゼットＡの戸板16,16を閉めて、ハンガー装置Ｇの収納が完了する。
【０１４３】
本発明に係るハンガー装置Ｇを備えたクローゼットＡによれば、上述した実施形態と同様の効果を有すると共に、さらに、ハンガー装置Ｇの高さ調節を行う第２摺動体229,229等の駆動機構をクローゼット内部の収納空間Ｖの上方位置に配設するため、初めて使用する子供が操作しても安全に使用することができる効果を有している。
【０１４４】
図１４（ａ）に示す固定孔226は、上下方向にテーパー部226a,226aを形成された構造であったが、図１５に示す固定孔227は第１摺動レール224に深い凹部227ｂの下方位置にのみ断面視テーパー形状のテーパー部227aが形成される構造であってもよい。
【０１４５】
［実施例５］
本発明の第５実施形態のハンガー装置を備えたクローゼットについて述べる。図１６は、第５実施形態に係るクローゼットの全体構成を示す斜視図である。なお、以下の説明において、前述の実施形態と同じ部材については、同様の符号を付している。また、同様の構成については、説明を省略することがある。
【０１４６】
収納庫本体10は、平面視略矩形状の底板11と、同底板11の左右両側面に立設した左側板12及び右側板13と、ハンガー装置Ｈを配設するための壁体として機能する背板14と、天板15とで矩形箱状に形成しており、左右両側板12,13の開口部近傍にはそれぞれ戸板16,16を上下方向へ軸線を向けて枢支して観音開きできるように構成している。
【０１４７】
ハンガー装置Ｈは、背板14の略中央部上方で上下方向に摺動するよう構成した第１摺動部20と、左右両側板12,13で上下方向に摺動するように構成した２つの第２摺動部21と、前記第１摺動部20に枢支部22を介して回動自在に固定した懸吊部23とで構成している。
【０１４８】
第１摺動部20は、背板14の略中央部上方に上下方向へ向けて配設した断面視略コ字状の第１摺動レール24と、同第１摺動レール24に沿って上下方向に移動する第１摺動体25と、同第１摺動体25の上下方向の動きを緩慢にするためのダンパー57とを有している。
【０１４９】
第１摺動レール24には、図２にも示すように、第１摺動体25と対向する面に、同第１摺動体25の移動を規制するための固定孔26を所定間隔を空けて複数穿設している。
【０１５０】
また、第１摺動体25には、固定孔26と係合するロック爪50を備えたロック部51（保持部材の一例）を配設しており、第１摺動体25を第１摺動レール24上で摺動させて、第１摺動レール24に穿設した固定孔26に、ロック部51を操作してロック爪50を挿入することにより第１摺動体25を第１摺動レール24に対して固定するようにしている。すなわち、第１摺動体25は、第１摺動レール24上において、所望の高さに位置決め可能に構成している。
【０１５１】
このロック部51の操作は、懸吊部23のハンドル42と重合するように形成したワイヤハンドル52を把持することにより、摺動ワイヤ53を進退させて行うこととしており、手元操作できるように構成している。
【０１５２】
また、図１６に示すように、第１摺動体25には、左右方向に伸延する当接片支え部材54を有しており、この当接片支え部材54は、左右両側板12,13に上下方向に伸延させて配設した上部側面レール55,55に摺動自在に係合させる。
【０１５３】
一方、第２摺動部21は、上方の前部の左右側板12,13にそれぞれ配設している。第２摺動部21は、左右いずれもほぼ同様の構成としているため、ここでは左側板12近傍に配設した第２摺動部21を例に説明する。
【０１５４】
第２摺動部21は、背板14に上下方向へ向けて配設した断面視略コ字状の第２摺動レール28と、同第２摺動レール28に沿って上下方向に移動する第２摺動体29とを有している。
【０１５５】
第２摺動体29には、枢支部32を介して支え桿33を揺動自在に配設している。この支え桿33の先端部は、懸吊部23に揺動自在に連結している。
【０１５６】
これにより、オーバーやコートなど比較的重量のある衣類をハンガー装置Ｈに吊下した場合であっても、十分な強度を保つことができる。
【０１５７】
第２摺動体29には、その下方にダンパー59が連結されており、第２摺動体29の上下方向の動きを緩慢とするようにしている。
【０１５８】
懸吊部23は、吊下した衣類を保持するための懸吊桿40を備えており、その側面には、多数の吊下穴41を配設して複数の衣類を吊下可能に形成している。
【０１５９】
また、懸吊桿40の基端部は、前述の第１摺動体25に枢支部22を介して揺動自在に連結されており、使用者は、懸吊桿40の先端部に配設したハンドル42を把持して上下方向に動かすことで、懸吊桿40が背板14の直前方へ略水平に伸延した起立状態と、背板14の前方斜め下方向へ伸延する収納状態との間で上下方向へ揺動自在となるように構成している。
【０１６０】
併せて、懸吊桿40の中途部には、左右方向に伸延する竿状の支持部材43を配設しており、同支持部材43の端部には前述の支え桿33を揺動自在に連結している。
【０１６１】
［ハンガー装置の使用状態］
【０１６２】
上述したハンガー装置Ｈを備えたクローゼットＡは、次のように動作して機能することとなる。図１７はクローゼットにおけるハンガー装置の動作を示す説明図である。
【０１６３】
まず、衣類を収納する際には、懸吊部23が起立状態において、使用者は、いわゆるハンガー等を装着した衣類を吊下穴41に引っかけて、懸吊桿40に吊下する。
【０１６４】
クローゼットＡに収納した衣類を取出す際には、クローゼットＡの戸板16,16を観音開きに開放する（図１６参照）。このとき懸吊桿40は、図１７（ａ）に示すように、枢支部22を中心に壁体としての背板14の前方斜め下方に折れ曲がった状態でクローゼットＡの内部空間に収納されている。すなわち、第１摺動部20は、第１摺動レール24の上端に位置しており、また、第１摺動部20の第１摺動体25の両端部も上部側面レール55,55の上端に位置した状態となっている。
【０１６５】
次に、図１７（ｂ）に示すように、懸吊桿40のハンドル42を把持し、ワイヤハンドル52を把持してロック部51を操作し、第１摺動レール24の固定孔26に係合したロック爪50を解除してフリー状態とする。そして、第１摺動部20を第１摺動レール24に沿って上方から下方へ降下する。すなわち、懸吊桿40を後方位置（下方位置）から前方位置（上方位置）へ揺動させることにより、懸吊桿40は、下方斜めに折れ曲がった状態から枢支部22を中心に徐々に水平方向へ起立した状態となるに揺動させる。次に、ワイヤハンドル52を放すことで、第１摺動レール24の固定孔26にロック爪50を係合してロック状態とする。
【０１６６】
図１７（ｃ）に示すように、クローゼットＡ内の懸吊桿40の高さを調節する際には、懸吊桿40を起立した状態で、ワイヤハンドル52を把持して第１摺動体25を固定するロック部51を操作し、第１摺動レール24の固定孔26に係合したロック爪50を解除してフリー状態とする。さらに、懸吊桿40を上方位置から下方位置へ引き下げると、第１摺動部20が第１摺動レール24に沿って降下すると共に第２摺動部21,21も第２摺動レール28,28を摺動しながら降下することにより懸吊桿40が上方から降下して所定高さ位置へ移動することとなる。
【０１６７】
次に、懸吊桿40が所定高さ位置となった段階で、ワイヤハンドル52を把持した状態から放した状態とすることで、ロック部51のロック爪50が第１摺動レール24の固定孔26に再係合する。このようにして懸吊桿40は、所定高さ位置で固定される。
【０１６８】
使用者は、略水平となった懸吊桿40に吊下された衣類を所望の高さにて取出すことができることとなる。
【０１６９】
そして、懸吊桿40を収納状態とする際には、上述した方法と逆の操作を行う。すなわち、懸吊桿40のハンドル42を把持し、ワイヤハンドル52を把持してロック部51を操作し、第１摺動レール24の固定孔26に係合したロック爪50を解除してフリー状態とし、懸吊桿40を上方位置から下方位置へ揺動させる。枢支部22を中心に懸吊桿40が下方斜めに折れ曲がった収納状態となる。
【０１７０】
このような懸吊桿40を折り曲げた状態とすることでクローゼットＡの戸板16,16を閉めて、ハンガー装置Ｈの収納が完了する。
【０１７１】
本発明に係るハンガー装置Ｈを備えたクローゼットＡによれば上述した実施形態と同様の効果を有すると共に、さらに、ハンガー装置Ｈの高さ調節を行う第２摺動体29,29等の駆動機構をクローゼット内部の収納空間Ｖの上方位置に配設するため、初めて使用する子供が操作しても安全に使用することができる効果を有している。
【０１７２】
なお、図１８に示すように、第２摺動部21の第２摺動レール28に平行な位置に高さ調節のためのストッパー300を複数並設するようにしてもよい。ストッパー300は、ストッパー枢支部301を中心に垂直方向から水平方向に可動自在の構造を備えており、第２摺動体29の高さ調節をする際には、所定高さ位置のストッパー300を水平位置となした後に、このストッパー300に第２摺動体29の枢支部32が当接することで高さ方向の位置決めを行うことができる。
【０１７３】
なお、図１９（ａ）に示す第１摺動部20には、懸吊桿40の枢支部22上に摺動ワイヤ53で操作するロック部51の他に第２ロック部551を備えており、ロック部51が懸吊桿40を第１摺動レール24に沿って上端から下方に降下させる際に、ブレーキとして機能し、第２ロック部551の第２ロック爪550は第１摺動レール24の固定孔26に係合するためのロックとして機能する。すなわち、図１９（ｂ）及び図１９（ｃ）に示すように、懸吊桿40を収納姿勢から起立姿勢にするために、枢支部22を中心に懸吊桿40を水平状態とすると押圧部552が第２ロック部551を押圧して第２ロック爪550を突出させて固定孔26に係合することとなる。なお、不用意に懸吊桿40が下方へ降下したとしてもロック部51のロック爪50が固定孔26に係合するように付勢されているため、懸吊桿40が最下位置まで降下することなく固定孔26に係合してブレーキとして機能するこことなる。このような機能を上述した実施形態のハンガー装置に用いることで、懸吊桿40を上下方向に操作する際に安全に取り扱うことが可能となる。
【０１７４】
なお、図２０（ａ）及び図２０（ｂ）に示す第１摺動部620は、懸吊桿640を第１摺動レール624の上端で収納姿勢に保持するためのロック部651を備えている。そして、第１摺動レール624を挟持しつつ背板14と天板15に取付けた固定プレート660,660を配設している。懸吊桿640を収納姿勢とする際には、ロック部651の左右ロック爪650,650が固定プレート660,660の固定孔661,661に係合することで第１摺動レール624の上端で固定されることとなる。なお、ロック部の係合状態を解除する際は、ハンドル42のワイヤハンドル52に連結した摺動ワイヤ53を摺動することにより、図２０（ｃ）に示すように、左右ロック爪650,650が引き込みロックを解除することなる。そして、懸吊桿620は、上方から下方へ降下して、懸吊桿640を起立姿勢となすこことなる。例えば、上述したロック部651を有するロック機構は、第４実施形態のハンガー装置Ｇに適用することで懸吊桿640の収納姿勢を第１摺動レール624の上端で保持することが可能となる。なお、懸吊桿640の枢支部は上述の実施形態で説明した枢支部22を上下反転して用いることにより、図２１（ｂ）に示すように収納状態において、懸吊桿640を上方向に折り曲げることが可能となる。
【０１７５】
なお、上述した各実施形態のクローゼットＡは、図２１（ａ）に示すようにハンガー装置の懸吊桿40を壁体の前方斜め下方へ伸延する収納状態となるように、高さ調節機構としての第１摺動体25及び第２摺動体29を上下方向に摺動可能に構成したが、図２１（ｂ）に示すようハンガー装置の懸吊桿40を壁体の前方斜め上方へ伸延する収納状態となるように、高さ調節機構としての第１摺動体25及び第２摺動体29を上下方向に摺動可能に構成するようにしてもよい。この懸吊桿40の先端に紐体を取り付けて、収納状態から起立状態に可変する際に紐体を引くことで懸吊桿40を起立姿勢にして使用することができる。
【０１７６】
なお、保持部材の一例としてのロック部を懸吊桿の上部に配設するようにしたが、懸吊桿の下部に配設するようにしてもよい。
【０１７７】
最後に、上述した各実施の形態の説明は本発明の一例であり、本発明は上述の実施の形態に限定されることはない。このため、上述した各実施の形態以外であっても、本発明に係る技術的思想を逸脱しない範囲であれば、設計等に応じて種々の変更が可能であることはもちろんである。
【符号の説明】
【０１７８】
10  収納庫本体
14  背板
20  第１摺動部
21  第２摺動部
22  枢支部
23  懸吊部
25  第１摺動体
26  固定孔
29  第２摺動体
32  枢支部
33  支え桿
40  懸吊桿
41  吊下穴
43  支持部材
50  ロック爪
51  ロック部
54  当接片支え部材
56  上部当接片
58  下部当接片
60  位置決めプレート
Ａ，Ｄ  クローゼット
Ｂ，Ｃ，Ｅ，Ｇ，Ｈ，  ハンガー装置
Ｖ  収納空間
【図１】
2009279397.tif 000003
【図２】
2009279397.tif 000004
【図３】
2009279397.tif 000005
【図４】
2009279397.tif 000006
【図５】
2009279397.tif 000007
【図６】
2009279397.tif 000008
【図７】
2009279397.tif 000009
【図８】
2009279397.tif 000010
【図９】
2009279397.tif 000011
【図１０】
2009279397.tif 000012
【図１１】
2009279397.tif 000013
【図１２】
2009279397.tif 000014
【図１３】
2009279397.tif 000015
【図１４】
2009279397.tif 000016
【図１５】
2009279397.tif 000017
【図１６】
2009279397.tif 000018
【図１７】
2009279397.tif 000019
【図１８】
2009279397.tif 000020
【図１９】
2009279397.tif 000021
【図２０】
2009279397.tif 000022
【図２１】
2009279397.tif 000023